(57)【要約】      （修正有）【課題】構造が簡単で、組立効率が高く、且つコストを低減することができる光ファイバコネクタを提供する。【解決手段】ハウジング１０と、ハウジングに収容された固定部材３０と、光ケーブル芯と、弾性部材５０と、を備え、光ケーブル芯を固定部材の一端に挿し込み、弾性部材は、固定部材の光ケーブル芯と離れている一端をカバーする光ファイバコネクタ２００において、固定部材には、係止部３８が設けられ、ハウジングには、係止部と係止するためのロック部が設けられ、固定部材と係止部とを係止する。【選択図】図２
2013047804.tif 000002
【特許請求の範囲】
【請求項１】
ハウジングと、前記ハウジングに収容された固定部材と、光ケーブル芯と、弾性部材と、を備え、前記光ケーブル芯を前記固定部材の一端に挿し込み、前記弾性部材は、前記固定部材の前記光ケーブル芯と離れている一端をカバーする光ファイバコネクタにおいて、
前記固定部材には、係止部が設けられ、前記ハウジングには、前記係止部と係止するためのロック部が設けられ、前記固定部材と前記係止部とは係止することを特徴とする光ファイバコネクタ。
【請求項２】
前記ハウジングは、互いに接続する四つの側壁と、端部と、前記端部と反対側に位置する一端から軸方向に沿って形成した収容孔と、を備え、
前記端部には、前記ハウジングの軸方向に沿って延在するカバー部材が設けられ、前記カバー部材の一端には、前記ハウジングの内部に向けて延在する係止端が形成され、他端には固定端が設けられ、前記ロック部が前記係止端の内壁に設けられることを特徴とする請求項１に記載の光ファイバコネクタ。
【請求項３】
前記固定部材の一端には、前記光ケーブル芯を固定するための第一挿入孔が軸方向に沿って設けられ、前記固定部材の前記第一挿入孔側の一端には、位置限定部が設けられ、他端には係止部が設けられ、前記弾性部材の一端は、前記位置限定部と接触し、他端は前記カバー部材の前記係止端と接触することを特徴とする請求項２に記載の光ファイバコネクタ。
【発明の詳細な説明】
【技術分野】
【０００１】
本発明は、光ファイバコネクタに関するものである。
【背景技術】
【０００２】
光ファイバコネクタは、ハウジングと、固定部材と、光ケーブル芯と、弾性部材と、カバー部材と、を備える。ハウジングの一端には、軸方向に沿った収容孔が設けられ、ハウジングのうち前記収容孔から離間する一端の相対する側壁の内面には、係止溝が設けられ、カバー部材のハウジングと相対する側壁には、前記係止溝に対応する突起が設けられる。前記光ファイバコネクタを組み立てる際、先ず、光ケーブル芯を固定部材の一端に挿し込み、弾性部材は、固定部材の他端をカバーする。次いで、カバー部材をハウジングに設置すると、突起と係止溝とが係止するので、固定部材と光ケーブル芯とが、ハウジングの中に固定される。このような光ファイバコネクタは、部品点数が多く、構造も複雑なので、組立効率が低下し、コストも高くなってしまう。
【発明の概要】
【発明が解決しようとする課題】
【０００３】
以上の問題点に鑑みて、本発明は、構造が簡単で、組立効率が高く、且つコストを低減することができる光ファイバコネクタを提供する。
【課題を解決するための手段】
【０００４】
前記目的を達成するために、本発明に係る光ファイバコネクタは、ハウジングと、前記ハウジングに収容された固定部材と、光ケーブル芯と、弾性部材と、を備え、前記光ケーブル芯を前記固定部材の一端に挿し込み、前記弾性部材は、前記固定部材の前記光ケーブル芯と離れている一端をカバーする光ファイバコネクタにおいて、前記固定部材には、係止部が設けられ、前記ハウジングには、前記係止部と係止するための前記ロック部が設けられ、前記固定部材と前記係止部とは係止することを特徴とする。
【発明の効果】
【０００５】
本発明に係る光ファイバコネクタには、前記ハウジングの内部に、ロック部が設置されており、前記固定部材には、前記ロック部と係止する前記係止部が設置されたので、前記固定部材は、安定的に前記ハウジングに固定される。よって、前記光ファイバコネクタは、部品点数を少なくさせ、また、構造が簡単なので、組立効率が高くなり、コストを低減することができる。
【図面の簡単な説明】
【０００６】
【図１】本発明に係る光ファイバコネクタの斜視図である。
【図２】図１に示した光ファイバコネクタの分解斜視図である。
【図３】図１に示した光ファイバコネクタのＶＩ−ＶＩ線に沿った断面図である。
【発明を実施するための形態】
【０００７】
以下、図面に基づいて、本発明に係る光ファイバコネクタについて詳細に説明する。
【０００８】
図１及び図２を参照すると、本発明に係る光ファイバコネクタ１００は、ＬＣ型の光ファイバコネクタであり、ハウジング１０と、固定部材３０と、前記固定部材３０の一端に固定した光ケーブル芯４０と、前記固定部材３０をカバーした弾性部材５０と、を備える。前記固定部材３０、前記光ケーブル芯４０及び前記弾性部材５０は、前記ハウジング１０に収容される。なお、図１において前記光ケーブル芯４０が前記ハウジング１０から突出する方向を前方とし、その反対方向を後方とする。
【０００９】
図３を併せて参照すると、前記ハウジング１０は、前後両端が開口した中空の直方体であり、プラスチック材料で形成される。前記ハウジング１０の断面外形は、正方形であり、互いに接続する四つの側壁（図示せず）と、前記四つの側壁の後端に設置され、中央に円形の開口部が形成された端部１２と、を備える。前記ハウジング１０の前端部には、軸方向に沿って形成した収容孔１４が設けられる。前記ハウジング１０の一つの側壁の外面には、前端部から後方に向かうにしたがって上方に向けて前記一つの側壁から離間するように延在する操作部１６が設けられる。前記端部１２の開口縁部には、前記ハウジング１０の軸方向に沿って前後方向に延在する筒状のカバー部材１８が設けられる。前記収容孔１４の内壁において、上下方向に相対する二つの内壁は円弧状であり、左右方向に相対する二つの内壁は平面である。前記操作部１６は、弾性を有し且つ前記ハウジング１０から離れるように湾曲し、前記操作部１６の両側には、それぞれ突起１６２が設けられており、前記光ファイバコネクタ２００とアダプタ（図示せず）とを組み立てる際、前記操作部１６の前記突起１６２は、アダプタと係止して、前記光ファイバコネクタ２００とアダプタとが固定される。
【００１０】
前記カバー部材１８の前端には、前記ハウジング１０の内部に向けて突出する係止端１８２が形成され、後端には、固定端１８４が設けられる。前記係止端１８２の内壁には、環状の前記ロック部１８２２が設けられている。前記ロック部１８２２の前端部には、前記固定部材３０を挿し込むための第一案内面１８２４が設けられる。本発明の実施形態において、前記第一案内面１８２４は、面取りをした円錐面であり、その直径は、前方から後方に向かうにしたがって徐々に小さくなる。前記固定端１８４の外壁には、光ファイバの保護カバー（図示せず）を固定するロック部１８４２が設けられる。
【００１１】
前記固定部材３０は、円筒体であり、その前端部には、前記光ケーブル芯４０を固定するための第一挿入孔３２が軸方向に沿って設けられ、後端部には、前記第一挿入孔３２と連通し、且つ光ケーブル（図示せず）を挿し込むための第二挿入孔３４が設けられる。前記固定部材３０の前記第一挿入孔３２側にある前端には、位置限定部３６が設けられ、後端部には、前記ロック部１８２２と係止するための係止部３８が設けられる。前記位置限定部３６の形状及び寸法は、前記ハウジング１０の前記収容孔１４の形状及び寸法と対応する。前記位置限定部３６の四つの側壁には、前記収容孔１４の四つの内壁に対応して、二つの相対する円弧状の曲面３６１と、二つの相対する平面３６３と、が形成されており、前記位置限定部３６の四つの側壁が前記固定部材３０を前記収容孔１４に固定し、前記固定部材３０が回転するのを効果的に防止する。前記係止部３８のうち前記位置限定部３６から離間する一側、すなわち後側には、前記ロック部１８２２の前記第一案内面１８２４に対応する第二案内面３８２が設けられ、前記第二案内面３８２は、前記固定部材３０を前記カバー部材１８に挿し込みやすくする。前記第二案内面３８２は、面取りをした円錐面であり、その直径は前記第一挿入孔３２から離れるにしたがって、すなわち、前方から後方に向かうにしたがって、徐々に小さくなる。前記収容孔１４の形状は、別の形状でも良く、例えば楕円状でも良い。前記位置限定部３６の側壁は、前記収容孔１４の形状に対応するので、前記固定部材３０が前記収容孔１４の内部で回転するのを防止する。
【００１２】
前記弾性部材５０は、前記固定部材３０をカバーする。本発明の実施形態において、前記弾性部材５０は、スプリングである。
【００１３】
前記光ファイバコネクタ１００を組み立てる際、先ず、前記光ケーブル芯４０を、前記固定部材３０の前記第一挿入孔３２に差し込む。次いで、前記固定部材３０の前記光ケーブル芯４０と離れている一端をカバーするように前記弾性部材５０を配設し、前記固定部材３０の前記係止部３８が設けられる一端を、前記ハウジング１０の前記収容孔１４から、前記ハウジング１０に差し込んで、前記位置限定部３６の二つの曲面３６１と二つの平面３６３とを、前記収容孔１４の側壁に対応させる。そして、前記固定部材３０を動かして、前記固定部材３０の前記係止部３８の前記第二案内面３８２を、前記カバー部材１８の前記ロック部１８２２の前記第一案内面１８２４と接触させると、前記係止部３８は、前記第一案内面１８２４に沿って、スライドして、前記係止部３８と前記ロック部１８２２とが係止される。同時に、前記弾性部材５０の一端は、前記カバー部材１８の前記係止端１８２と接触し、他端は、前記固定部材３０の前記位置限定部３６と接触して、前記固定部材３０を、前記ハウジング１０に固定する。
【００１４】
本発明の前記光ファイバコネクタ２００の前記ハウジング１０は、プラスチック材料で形成され、前記ハウジング１０の内部に前記ロック部１８２２が設置されており、前記固定部材３０には、前記ロック部１８２２と係止するための前記係止部３８が設置されたので、前記固定部材３０は、前記ハウジング１０に固定される。前記光ファイバコネクタ２００は、部品点数を少なくさせ、また、構造が簡単なので、組立効率が高くなり、コストを低減することができる。同時に、前記固定部材３０の前記位置限定部３６の平面３６３は、平板状なので、前記固定部材３０が前記収容孔１４の内部において回転することを防止することができ、前記光ファイバコネクタ２００を、アダプタと組み立てる際、前記光ケーブル芯４０の固定が安定的である。
【００１５】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００１６】
２００              光ファイバコネクタ
１０                ハウジング
１２                端部
１４                収容孔
１６                操作部
１８                カバー部材
１８２              係止端
１８２２、１８４２  ロック部
１８２４            第一案内面
３８２              第二案内面
１８４              固定端
３０                固定部材
３２                第一挿入孔
３４                第二挿入孔
３６                位置限定部
３６１              曲面
３６３              平面
３８                係止部
４０                光ケーブル芯
５０                弾性部材
１６２              突起
【図１】
2013047804.tif 000003
【図２】
2013047804.tif 000004
【図３】
2013047804.tif 000005